(57)【要約】【課題】  運用方法の変更、或いは扱い券種の追加等があった場合でも、一度、処理した紙葉類を処理装置の設定を変えて再処理したり、処理装置を追加購入したりするといったことなく、券類の区分数を増加させる。【解決手段】  鑑査機本体１内に設けられ、検査部１３によって処理された券類Ｐを検査部１３の処理情報に基づいてメイン搬送路１００から選択的に導入させて鑑査機本体１の外部に向かって搬送する連絡用搬送路１０１と、必要に応じて鑑査機本体１の側面部に隣接して着脱自在に設けられ、連絡用搬送路１０１を介して搬送されてくる券類Ｐを受け入れて搬送する受入搬送路５４と、この受入搬送路５４によって搬送されてくる券類Ｐを集積する集積手段５９を有する追加集積モジュール５２とを具備する。【選択図】      図３
2008171190.tif 000002
【特許請求の範囲】
【請求項１】
装置本体と、
この装置本体に設けられ、集積された紙葉類を取り出す取出手段と、
この取出手段により取り出された紙葉類を搬送するメイン搬送路と、
このメイン搬送路の中途部に設けられ、前記搬送される紙葉類を処理する処理手段と、
この処理手段によって処理されて搬送される前記紙葉類を前記処理手段の処理情報に基づいて区分集積する第１及び第２の集積手段と、
前記処理手段によって処理された紙葉類を前記処理手段の処理情報に基づいて前記メイン搬送路から選択的に導入させて前記装置本体の外部に向かって搬送する連絡用搬送路と、
前記装置本体の側面部に隣接して着脱自在に設けられ、前記連絡用搬送路を介して搬送されてくる前記紙葉類を受け入れて搬送する受入搬送路と、この受入搬送路によって搬送されてくる前記紙葉類を集積する集積手段を有する追加集積モジュールと
を具備することを特徴とする紙葉類処理装置。
【請求項２】
前記追加集積モジュールの受入搬送路は、一端部側に入口部を有し、この入口部を前記連絡用搬送路に接続させることを特徴とする請求項１記載の紙葉類処理装置。
【請求項３】
前記追加集積モジュールを複数追加配置したことを特徴とする請求項１記載の紙葉類処理装置。
【請求項４】
前記装置本体内の第１及び第２の集積手段と、前記追加集積モジュールの集積手段は、それぞれ一対の集積部を有し、その一方の集積部に前記紙葉類が所定枚数集積される毎、他方の集積部に切り替えて紙葉類を集積することを特徴とする請求項１記載の紙葉類処理装置。
【請求項５】
前記装置本体内の第１及び第２の集積手段と、前記追加集積モジュールの集積手段は、その一対の集積部に所定枚数集積された紙葉類を施封するための一対の施封部を備えることを特徴とする請求項４記載の紙葉類処理装置。
【請求項６】
前記追加集積モジュールは、前記受入搬送路によって搬送されてくる前記紙葉類を選択的に集積する集積専用の集積手段をさらに有することを特徴とする請求項５記載の紙葉類処理装置。
【発明の詳細な説明】
【技術分野】
【０００１】
本発明は、例えば、紙幣や有価証券などの紙葉類を処理する紙葉類処理装置に関する。
【背景技術】
【０００２】
紙葉類処理装置には、銀行券や有価証券といった紙葉類（以下、券類という）を収容する収容ホッパを備え、この収容ホッパから券類を一枚ずつ取り出して検査部に搬送し、この検査部で正損などを判別し、損券であると判別した場合にはシュレッダに送って裁断し、正券であると判別した場合にはその汚れ状態に応じて第１の集積手段と第２の集積手段に区分集積するものが知られている（例えば、特許文献１参照。）。
【０００３】
ところで、この紙葉類処理装置を使用する客先において、運用方法の変更、或いは扱い券種の追加等があった場合、処理装置内部の集積手段の個数が不足してしまうことが多い。
【０００４】
このような場合、集積手段の追加が容易にできないため、一度、処理した券類を再度、処理装置の設定を変えて処理している。例えば、券類を３種類に分ける必要がある場合には、まず、１種類目と２種類目の券類を第１の集積手段に集積し、３種類目の券類を第２の集積手段に集積する。そして、第２の集積手段から３種類目の券類を取り出すとともに、第１の集積手段から１種類目と２種類目の券類を取り出し、この１種類目と２種類目の券類を再処理して１種類目の券類を第１の集積手段に集積し、２種類目の券類を第２の集積手段に集積することにより３種類に区分している。
【０００５】
また、処理装置を追加購入することにより、集積手段を追加することも考えられている。
【特許文献１】特開２００５−１７７６１７号公報
【発明の開示】
【発明が解決しようとする課題】
【０００６】
しかしながら、一度、処理した券を、処理装置の設定を変えて再処理する場合には、手間がかかるとともに、処理効率が悪化するという問題がある。
【０００７】
また、処理装置の追加購入も費用面で高額になり、容易に実施できないものとなっていた。
【０００８】
本発明は上記事情に着目してなされたもので、その目的とするところは、運用方法の変更、或いは扱い券種の追加等があった場合でも、一度、処理した紙葉類を処理装置の設定を変えて再処理したり、処理装置を追加購入したりするといったことなく、紙葉類の区分数を増加できるようにした紙葉類処理装置を提供することにある。
【課題を解決するための手段】
【０００９】
上記課題を解決するため、請求項１記載のものは、装置本体と、この装置本体に設けられ、紙葉類を取り出す取出手段と、この取出手段により取り出された紙葉類を搬送するメイン搬送路と、このメイン搬送路の中途部に設けられ、前記搬送される紙葉類を処理する処理手段と、この処理手段によって処理されて搬送される前記紙葉類を前記処理手段の処理情報に基づいて区分集積する第１及び第２の集積手段と、前記処理手段によって処理された紙葉類を前記処理手段の処理情報に基づいて前記メイン搬送路から選択的に導入させて前記装置本体の外部に向かって搬送する連絡用搬送路と、必要に応じて前記装置本体の側面部に隣接して着脱自在に設けられ、前記連絡用搬送路を介して搬送されてくる前記紙葉類を受け入れて搬送する受入搬送路と、この受入搬送路によって搬送されてくる前記紙葉類を集積する集積手段を有する追加集積モジュールとを具備することを特徴とする。
【発明の効果】
【００１０】
本発明によれば、簡単な構成で、紙葉類の区分数を増加でき、処理効率を向上できるとともに、コストを低減できる。
【発明を実施するための最良の形態】
【００１１】
以下、本発明を図面に示す実施の形態を参照して詳細に説明する。  
図１は本発明の第１の実施の形態である紙葉類処理装置としての銀行券鑑査機を示す概略的構成図である。
【００１２】
図中１は装置本体としての鑑査機本体で、この鑑査機本体１の前面一側部側には、操作パネル２が設けられているとともに、紙葉類としての銀行券（以下、券類Ｐという）を積層状態で収納する収納ホッパ３が設けられている。収納ホッパ３の上部側には券類Ｐをその上面部側のものから順次、１枚ずつ分離して取り出す取出手段としての取出ローラ５が設けられている。この取出ローラ５によって取り出された券類Ｐは第１の搬送路６に沿って搬送される。第１の搬送路６中には検査部７が設けられ、この検査部７により券類Ｐが例えば重送されているか否かが判別される。第１の搬送路３は第２及び第３の搬送路９，１０に分岐され、その分岐部には券類Ｐを第２或いは第３の搬送路９，１０に振り分ける第１の振分ゲート１１が設けられている。第２の搬送路９中には処理手段としての検査部１３が設けられ、この検査部１３により券類Ｐが正券であるか、損券であるか、あるいは排除すべき排除券であるのかなどが判別される。第２の搬送路９は第４及び第５の搬送路１４，１５に分岐され、その分岐部には券類Ｐを第４或いは第５の搬送路１４，１５に振り分ける第２の振分ゲート１６が設けられている。上記した第１の搬送路６、第２の搬送路９、及び第４の搬送路１４によってメイン搬送路１００が構成されている。
【００１３】
第４の搬送路１４は検査部１３の下部側に沿って延ばされ、その下方部には第１の集積手段１７と第２の集積手段１８が配設されている。第１の集積手段１７には１種類目の券類、例えば、新品同様の正券でＡＴＭでの使用が可能な券類が集積され、第２の集積手段１８には２種類目の券類、例えば、通常の使用が可能な正券が集積されるようになっている。
【００１４】
第１の集積手段１７は一対の集積部２６ａ，２６ｂを有して構成され、第２の集積手段１８は一対の集積部２８ａ，２８ｂを有して構成されている。第４の搬送路１４には、所定間隔を存して導入路１８ａ，１８ｂ、１９ａ，１９ｂが接続され、その接続部には第４の搬送路１４によって搬送される券類Ｐを選択的に導入路１８ａ，１８ｂ、１９ａ，１９ｂに取り込むための導入ゲート２１ａ，２１ｂ、２３ａ，２３ｂが配設されている。第１の集積手段１７の一対の集積部２６ａ，２６ｂは導入路１８ａ，１８ｂを介して第４の搬送路１４に接続され、第２の集積手段１８の一対の集積部２８ａ，２８ｂは導入路１９ａ，１９ｂを介して第４の搬送路１４に接続されている。
【００１５】
第１の集積手段１７の一対の集積部２６ａ，２６ｂの何れか一方の集積部に券類Ｐが所定枚数、例えば、１００枚集積されたときは、１０１枚の券類Ｐからは他方の集積部に切り替えて集積するようになっている。また、第２の集積手段１８の一対の集積部２８ａ，２８ｂの何れか一方の集積部に券類Ｐが所定枚数、例えば、１００枚集積されたときは、１０１枚の券類Ｐからは他方の集積部に切り替えて集積するようになっている。
【００１６】
第１の集積手段１７の一対の集積部２６ａ，２６ｂの下部側には、集積部２６ａ，２６ｂに所定枚数集積された券類Ｐを施封するための施封部３０ａ，３０ｂが配設されている。第２の集積手段１８の一対の集積部２８ａ，２８ｂの下部側には、集積部２８ａ，２８ｂで所定枚数集積された券類Ｐを施封するための施封部３２ａ，３２ｂが配設されている。
【００１７】
第１の集積手段１７の隣側部には、施封部３０ａ，３０ｂ、３２ａ，３２ｂで施封された把を集積するための把集積部３４が設けられている。また、施封部３０ａ，３０ｂ、３２ａ，３２ｂの下部側には把集積部３４で集積された把を外部に搬送するためのコンベア３５が設けられている。  
なお、上記した第３の搬送路１０、及び第１４の搬送路１４の終端部は排除用集積部３７にそれぞれ接続されている。
【００１８】
一方、上記した第５の搬送路１５は第６及び第７の搬送路４０，４１に分岐され、その分岐部には券類Ｐを第６或いは第７の搬送路４０，４１に振り分ける第３の振分ゲート４３が設けられている。第６の搬送路４０には、会計検査集積部４４が接続されている。
【００１９】
第７の搬送路４１は、第８及び第９の搬送路４６，４７に分岐され、その分岐部には券類Ｐを第８或いは第９の搬送路４６，４７に振り分ける第４の振分ゲート４９が設けられている。第９の搬送路４６の終端部には損券を裁断するためのシュレッダ５０が接続されている。  
上記した第５の搬送路１５、及び第７の搬送路４１、さらに第８の搬送路４６によって連絡用搬送路１０１が構成されている。
【００２０】
次に、上記した銀行券鑑査機の処理動作について説明する。
【００２１】
取出ローラ５が回転されると、収納ホッパ３内の券類Ｐが上部側のものから順次、１枚ずつ取り出されて第１の搬送路６に送り出される。この送り出された券類Ｐは第１の搬送路６に沿って搬送されて検査部７へ送られ、この検査部７で例えば券類Ｐが重送されているか否かが判別される。この判別により券類Ｐが重送されていなければ、第１の振分部１１により第２の搬送路９に振り分けられて搬送され、重送されていれば、第３の搬送路１０に振り分けられて排除用集積部３７に搬送されて集積される。
【００２２】
第２の搬送路９に振り分けられた券類Ｐは、検査部１３に搬送されて正券であるか、損券であるか、或いは裁断すべきものであるか等が判別される。券類は判別情報に基づいて第２の振分ゲート１６によって第４或いは第５の搬送路１４，１５に振り分けられる。
【００２３】
第４の搬送路１４に振り分けられる券類は正券で、その状態が新品に近い良好なものである場合には第１の集積手段１７の集積部２６ａに集積され、通常の使用が可能なものである場合には、第２の集積手段１８の集積部２８ａに案内されて区分集積される。第１集積手段１７の集積部２６ａに券類Ｐが所定枚数集積されると、下部側の施封部３０ａに送られて施封される。第２の集積手段１８の集積部２８ａに券類Ｐが所定枚数集積されると、下部側の施封部３２ａに送られて施封される。
【００２４】
この施封動作時には、第１の集積手段１７の集積部２６ａ、或いは第２の集積手段１８の集積部２８ａへの券類の集積は中断され、第１の集積手段１７の他方の集積部２６ｂ、第２の集積手段１８の他方の集積部２８ｂに切り替えられて集積される。施封された把は把集積部３４に集積され、この把はコンベア３５によって外部へと搬送される。
【００２５】
一方、上記した第２の振分ゲート１６によって第５の搬送路１５に振り分けられた券類は、さらに第３の振分ゲート４３によって第６或いは第７の搬送路４０，４１に振り分けられる。第６の搬送路４０に振り分けられた券類は、会計検査集積部４４に集積され、第７の搬送路４１に振り分けられた券類は、第４の振分ゲート４９によって第８の搬送路４６或いは第９の搬送路４７に振り分けられる。第８の搬送路４６に振り分けられた券類は後述するように、追加集積モジュール５２に搬送されて集積され、第９の搬送路４７に振り分けられた券類はシュレッダー５０に搬送されて裁断される。
【００２６】
図２は追加集積モジュール５２を示すものである。
【００２７】
上記した銀行券鑑査機は、第１の集積手段１７と第２の集積手段１８しか配設しないため、券類の区分数は２種類までとなっている。即ち、新品と同様に良好な状態な正券と、新品に準じる通常の使用が可能な正券の２種類に区分するもので、券類を３種類に区分することはできない。
【００２８】
図２に示す追加集積モジュール５２は、券類の区分数を増加させたい場合、例えば、旧券の区分もできるようにしたいような場合に用いられるものである。
【００２９】
追加集積モジュール５２は本体５３を備え、この本体５３の内部には受入用搬送路５４が設けられている。この受入用搬送路５４の入口側５４ａは、鑑査機本体１側の連結用搬送路１０１の出口側１０１ａに着脱自在に接続される。
【００３０】
受入用搬送路５４には案内路５５が接続され、この案内路５５には導入路５６ａ，５６ｂを介して第３の集積手段５９が接続されている。この第３の集積手段５９は上記した第１及び第２の集積手段１７，１８と同様に構成される。即ち、第３の集積手段５９は一対の集積部６０ａ，６０ｂを備え、一方の集積部６０ａに券類Ｐが所定枚数（例えば、１００枚）集積されると、他方の集積部６０ｂに切り替えて券類Ｐを集積するようになっている。集積部６０ａ，６０ｂの下部側には集積された所定枚数の券類Ｐを施封する施封部６１ａ，６１ｂが配設されている。  
施封部６１ａ，６１ｂの下方部には施封された把を搬送するコンベア６４が設けられている。
【００３１】
この追加集積モジュール５２を使用する場合には、図３に示すように鑑査機本体１の側面部に隣接する状態で追加集積モジュール５２を着脱自在に取り付けてその受入用搬送路５４の入口側５４ａを鑑査機本体１内の連結用搬送路１０１の出口側１０１ａに着脱自在に接続させる。
【００３２】
鑑査機本体１内の連結用搬送路１０１によって搬送されてくる券類（旧券）は、その出口側１０１ａから送り出されて追加集積モジュール５２内の受入用搬送路５４内にその入口側５４から送り込まれる。この券類は受入用搬送路５４に沿って搬送され、案内路５５及び導入路５６ａを介して第３の集積手段５９の集積部６０ａ内に集積される。集積部６０ａ内に券類が所定枚数、即ち１００枚集積されると、１０１枚目からは集積部６０ｂに切り替えられて集積される。集積部６０ａ内に１００枚集積された券類は、施封部６１ａに送られて施封されて把となる。この把はコンベア６４によって鑑査機本体１側の把集積部３４に集積したり、或いは、追加集積モジュール５２の左側面から外部に排出される。
【００３３】
上記したように、この実施の形態では、追加集積モジュール５２を鑑査機本体１の側面部に隣接して設けることにより、券類の区分数を増加させることができるため、運用方法の変更、或いは扱い券種の追加等があった場合でも、従来のように一度、処理した券類を鑑査機の設定を変えて再処理したり、鑑査機を追加購入したりすることなく、簡単な構成で、券類の区分数を高めることができ、処理効率を向上できるとともに、コストを低減ですることができる。
【００３４】
図４は、本発明の第２の実施の形態を示すものである。
【００３５】
この実施の形態では、鑑査機に追加集積モジュール５２を左右に隣接する状態で２台追加して接続している。なお、左右の追加集積モジュール５２は同様に構成されるが、左側の追加集積モジュール５２の集積手段は第４の集積手段７０として用いられる。
【００３６】
この実施の形態では、右側の追加集積モジュール５２の受入用搬送路５４の出口側５４ｂが、左側の追加集積モジュール５２の受入用搬送路５４の入口側５４ａに接続され、右側の追加集積モジュール５２から送り出される券類は、左側の追加集積モジュール５２の受入用搬送路５４に受け入れて搬送される。
【００３７】
この搬送される券類は案内路５５及び導入路５６ａを介して第４の集積手段７０の集積部６０ａ内に集積される。集積部６０ａ内に券類が所定枚数、即ち１００枚集積されると、１０１枚目からは集積部６０ｂに切り替えられて集積される。集積部６０ａ内に１００枚集積された券類は、施封部６１ａに送られて施封されて把となる。この把はコンベア６４によって鑑査機本体１側の把集積部３４に集積したり、或いは、追加集積モジュール５２の左側面から外部に排出される。
【００３８】
この実施の形態によれば、券類を４種類に区分集積して施封することが可能となり、客先の運用方法の変更／取り扱い券種の追加に容易に対応できる。
【００３９】
図５は、鑑査機と追加集積モジュールの制御系を示すブロック図である。
【００４０】
鑑査機の制御系は、ＰＣ６５、制御メイン６６、制御サブ６７、検知メイン６８を有して構成され、鑑査機の搬送系、振分ゲートの切替動作などが制御されるようになっている。追加集積モジュールの制御系は、それぞれ制御メイン７１、制御サブ７２を有して構成され、追加集積モジュールの搬送系、振分ゲートの切替動作などが制御されるようになっている。
【００４１】
このように、各追加集積モジュール５２に個別に制御系を設置することにより、鑑査機本体側の制御系に負荷を掛けることなく、制御することが可能となる。
【００４２】
図６は追加集積モジュールの変形例を示すものである。
【００４３】
この追加集積モジュール７５は図２に示す追加集積モジュール５２に施封機能を備えない集積専用の集積手段７６を付加したものである。集積手段７６は一対の集積部７７ａ，７７ｂを有してなり、一対の集積部７７ａ，７７ｂは案内路７８、及び導入路７９ａ，７９ｂを介して受入搬送路５４に接続されている。
【００４４】
この追加集積モジュール７５によれば１種類の券種の集積と施封、及び、１種類の券類の集積のみの追加が可能となり、集積部７７ａ，７７ｂに集積される券類は施封されないため、集積部７７ａ，７７ｂに集積された券類を取り出すことによりそのままＡＴＭに投入して使用することが可能となる。
【００４５】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４６】
【図１】本発明の一実施の形態である銀行券鑑査機を示す概略的構成図。
【図２】図１の銀行券鑑査機に取り付けられる追加集積モジュールを示す構成図。
【図３】図２の追加集積モジュールが銀行券鑑査機に取り付けられた状態を示す図。
【図４】図２の追加集積モジュールが銀行券鑑査機に２台取り付けられた状態を示す図。
【図５】図４の銀行券鑑査機及び追加集積モジュールの制御系を示す図。
【図６】図２の追加集積モジュールの変形例を示す図。
【符号の説明】
【００４７】
1…鑑査機本体（装置本体）、Ｐ…券類（紙葉類）、５…取出ローラ（取出手段）、１３…検査部（処理手段）、１７…第１の集積手段、１８…第２の集積手段、２６ａ，２６ｂ、２８ａ，２８ｂ…一対の集積部、３０ａ，３０ｂ、３２ａ，３２ｂ…一対の施封部、５２…追加集積モジュール、５４…受入搬送路、５４ａ…入口側、５４ｂ…出口側、５９…第３の集積手段、７０…第４の集積手段、７６…集積専用の集積手段、１００…メイン搬送路、１０１…連絡用搬送路。
【図１】
2008171190.tif 000003
【図２】
2008171190.tif 000004
【図３】
2008171190.tif 000005
【図４】
2008171190.tif 000006
【図５】
2008171190.tif 000007
【図６】
2008171190.tif 000008